(57)【要約】【課題】ハンディターミナルの共有化を犠牲にすることなく、片手でのデータ転送を安定して行うことができ、併せて装置のコストアップを抑制することができるようにする。【解決手段】ターミナル外装ケース１１の下面に対し面一となるように設けられたハンディターミナル１０のデータ転送部の外周縁部にデータ転送側目印シールの枠部を貼着し、データ転送側目印シールの目印部１４ｂをターミナル外装ケース１１の操作面１１ｂ側に延びるように貼着し、プリンタ外装ケース２１の操作面の受光部２４の近傍に、矢印状の受光側目印シール２５の先端を受光部２４側に向けて貼着し、データ転送側目印シールの目印部１４ｂを矢印状の受光側目印シール２５の位置に合わせることで、データ転送のためのデータ転送部と受光部２４との位置合わせを行うようにする。【選択図】    図１
2004341807.tif 000002
【特許請求の範囲】
【請求項１】
ターミナル外装ケースの下面に対し面一となるように設けられ、バーコードスキャナ機能によって読み取られたデータを赤外線通信によって転送するデータ転送部を有するハンディターミナルと、
プリンタ外装ケースの操作面に対し面一となるように設けられ、前記転送されたデータを受け取るための受光部を有する携帯用のプリンタと、
前記データ転送部から前記ターミナル外装ケースの操作面側まで延びて付される目印部を有するデータ転送側目印と、
前記プリンタ外装ケースの操作面の前記受光部の近傍に付される受光側目印とを備え、
前記データ転送側目印と前記受光側目印とは、同一色からなることを特徴とする光学式データ転送装置。
【請求項２】
前記データ転送側目印、前記受光側目印、前記データ転送側目印及び前記受光側目印のいずれかは、液晶フィルム又は発光フィルムであり、
前記データ転送部、前記受光部、前記データ転送部及び前記受光部のいずれかの両側に検知手段を設け、
この検知手段が前記データ転送部と前記受光部との位置合わせを検知すると、前記液晶フィルム又は発光フィルムの表示色を変化させることを特徴とする請求項１に記載の光学式データ転送装置。
【請求項３】
前記受光部の近傍にスピーカーを設け、前記検知手段が前記データ転送部と前記受光部との位置合わせを検知すると、前記スピーカーから音を放出させることを特徴とする請求項２に記載の光学式データ転送装置。
【請求項４】
ハンディターミナルのターミナル外装ケースの下面に対し面一となるように設けられたデータ転送部から前記ターミナル外装ケースの操作面側まで延びるようにデータ転送側目印の目印部を付し、
携帯用のプリンタのプリンタ外装ケースの操作面に対し面一となるように設けられた受光部の近傍に、前記データ転送側目印と同一色からなる受光側目印を付し、
前記ハンディターミナルのバーコードスキャナ機能によって読み取られたデータを赤外線通信によって前記データ転送部から前記受光部に転送する際、前記データ転送側目印の目印部を前記受光側目印に合わせ、前記データ転送部と前記受光部との位置合わせを行う
ことを特徴とする光学式データ転送方法。
【発明の詳細な説明】
【０００１】
【発明の属する技術分野】
本発明は、ハンディターミナルからのデータを赤外線通信によって携帯用のプリンタに転送する光学式データ転送装置及び光学式データ転送方法に関する。
【０００２】
【従来の技術】
ハンディターミナルからのデータを赤外線通信により携帯用のプリンタに転送するものとして、特許文献１に示された光学式データ転送装置がある。
これは、ハンディターミナル側にデータを光学的に出力する情報出力突起を設け、携帯用のプリンタ側にハンディターミナルの情報出力突起が係合される情報入力穴を設けるようにしたものである。ハンディターミナルからデータを携帯用のプリンタに転送する場合には、情報出力突起を携帯用のプリンタ側の情報入力穴に差し込み、ハンディターミナル側のキーボードを操作してデータを出力させるようにしている。
【０００３】
【特許文献１】
特開平０４−２７３３１１号公報
【０００４】
【発明が解決しようとする課題】
ところが、上述の特許文献１に示されている光学式データ転送装置では、情報出力突起の差し込み方向が携帯用のプリンタ側の情報入力穴の向きによって決められてしまうため、一方の手で携帯用のプリンタを支えつつ情報入力穴の向きを決め、他方の手でハンディターミナルを持ちつつ情報出力突起を情報入力穴に差し込む必要があることから、片手でのデータ転送を安定して行うことが困難になる場合がある。
また、情報出力突起が設けられたハンディターミナルからのデータを他の携帯用のプリンタに出力させる場合、他の携帯用のプリンタ側に情報出力突起用の情報入力穴が無いと、ハンディターミナルの情報出力突起と他の携帯用のプリンタ側の受信部との位置合わせを行うことができず、ハンディターミナルからのデータを転送することが困難となることから、ハンディターミナルの共有を図ることは不可能である。
しかも、ハンディターミナル側に新たに情報出力突起を設け、携帯用のプリンタ側に新たに情報入力穴を設ける必要があるので、装置のコストアップを招いてしまう。
【０００５】
本発明は、このような状況に鑑みてなされたものであり、ハンディターミナルの共有化を犠牲にすることなく、片手でのデータ転送を安定して行うことができ、併せて装置のコストアップを抑制することができる光学式データ転送装置及び光学式データ転送方法を提供することができるようにするものである。
【０００６】
【課題を解決するための手段】
本発明の光学式データ転送装置は、ターミナル外装ケースの下面に対し面一となるように設けられ、バーコードスキャナ機能によって読み取られたデータを赤外線通信によって転送するデータ転送部を有するハンディターミナルと、プリンタ外装ケースの操作面に対し面一となるように設けられ、転送されたデータを受け取るための受光部を有する携帯用のプリンタと、データ転送部からターミナル外装ケースの操作面側まで延びて付される目印部を有するデータ転送側目印と、プリンタ外装ケースの操作面の受光部の近傍に付される受光側目印とを備え、データ転送側目印と受光側目印とは、同一色からなることを特徴とする。
また、データ転送側目印、受光側目印、データ転送側目印及び受光側目印のいずれかは、液晶フィルム又は発光フィルムであり、データ転送部、受光部、データ転送部及び受光部のいずれかの両側に検知手段を設け、この検知手段がデータ転送部と受光部との位置合わせを検知すると、液晶フィルム又は発光フィルムの表示色を変化させるようにすることができる。
また、受光部の近傍にスピーカーを設け、検知手段がデータ転送部と受光部との位置合わせを検知すると、スピーカーから音を放出させるようにすることができる。
本発明の光学式データ転送方法は、ハンディターミナルのターミナル外装ケースの下面に対し面一となるように設けられたデータ転送部からターミナル外装ケースの操作面側まで延びるようにデータ転送側目印の目印部を付し、携帯用のプリンタのプリンタ外装ケースの操作面に対し面一となるように設けられた受光部の近傍に、データ転送側目印と同一色からなる受光側目印を付し、ハンディターミナルのバーコードスキャナ機能によって読み取られたデータを赤外線通信によってデータ転送部から受光部に転送する際、データ転送側目印の目印部を受光側目印に合わせ、データ転送部と受光部との位置合わせを行うことを特徴とする。
本発明に係る光学式データ転送装置及び光学式データ転送方法においては、ハンディターミナルのターミナル外装ケースの下面に対し面一となるように設けられたデータ転送部からターミナル外装ケースの操作面側まで延びるようにデータ転送側目印の目印部を付し、携帯用のプリンタのプリンタ外装ケースの操作面に対し面一となるように設けられた受光部の近傍に、データ転送側目印と同一色からなる受光側目印を付し、ハンディターミナルのバーコードスキャナ機能によって読み取られたデータを赤外線通信によってデータ転送部から受光部に転送する際、データ転送部を受光部に接近させ、データ転送側目印の目印部を受光側目印の位置に合わせることで、データ転送のためのデータ転送部と受光部との位置合わせを行う。
【０００７】
【発明の実施の形態】
以下、本発明の実施の形態について説明する。
図１は、本発明の光学式データ転送装置の一実施の形態を示す図であり、ハンディターミナル１０及び携帯用のプリンタ２０を備えている。
ハンディターミナル１０は、バーコードスキャナ機能を有するものであり、ターミナル外装ケース１１の図示しない上面に読み取り部を有している。また、ターミナル外装ケース１１の操作面１１ｂには、情報の入力や各種操作の指示内容を入力する複数のキー１２と、情報を表示する図示しないディスプレイとが設けられている。ターミナル外装ケース１１の下面には、図２に示すように、バーコードスキャナ機能によって読み取ったバーコードデータ等をプリンタ２０側に転送するための矩形状かつ平面状のデータ転送部１３が設けられている。このデータ転送部１３は、ターミナル外装ケース１１の下面１１ａに対し、面一となるように設けられている。
【０００８】
データ転送部１３の周囲には、赤、緑、青等のいずれの色からなるデータ転送側目印シール１４が貼着されている。このデータ転送側目印シール１４は、データ転送部１３の外周縁部に貼着される枠部１４ａと、一部がターミナル外装ケース１１の操作面１１ｂ側まで延びた目印部１４ｂとで構成されている。このように、データ転送側目印シール１４の枠部１４ａによってデータ転送部１３が縁取られることにより、データ転送部１３の位置の確認が容易となる。また、データ転送側目印シール１４の目印部１４ｂがターミナル外装ケース１１の操作面１１ｂ側まで延びていることにより、ターミナル外装ケース１１の操作面１１ｂ側に対向する位置からでもデータ転送部１３の位置を容易に確認できる。
【０００９】
一方、プリンタ２０のプリンタ外装ケース２１の操作面２１ａには、図３に示すように、枠線２２内に配置されたｆｅｅｄやｐｒｉｎｔ等のボタン２３等が設けられている。また、プリンタ外装ケース２１の操作面２１ａの角には、ハンディターミナル１０から転送されるバーコードデータ等を受け取るための矩形状かつ平面状の受光部２４が設けられている。この受光部２４は、プリンタ外装ケース２１の操作面２１ａに対し、面一となるように設けられている。受光部２４の近傍には、赤、緑、青等のいずれの色からなる矢印状の受光側目印シール２５が枠線２２に沿い、矢印の先端を受光部２４側に向けて貼着されている。このように、受光側目印シール２５の矢印の先端を受光部２４側に向けて貼着することで、受光部２４の位置の確認が容易となる。
【００１０】
ここで、ハンディターミナル１０のデータ転送側目印シール１４とプリンタ２０の受光側目印シール２５とを同じ色にすることで、ハンディターミナル１０側のデータ転送部１３とプリンタ２０側の受光部２４との相関性を無意識に把握することができ、データ転送部１３から受光部２４にバーコードデータ等を転送する際の両者の位置合わせが容易となる。なお、データ転送側目印シール１４及び受光側目印シール２５は、いずれの色であってもよいが、目印性を高めるためにはターミナル外装ケース１１及びプリンタ外装ケース２１の色とは異なる色が好ましい。また、単にデータ転送部１３及び受光部２４の位置が分かればよい場合は、データ転送側目印シール１４及び受光側目印シール２５の色が異なるようにしてもよい。
【００１１】
次に、このような構成の光学式データ転送装置の動作について説明する。
まず、ハンディターミナル１０の下面１１ａのデータ転送部１３の周囲にデータ転送側目印シール１４を貼着する。この場合、データ転送側目印シール１４の枠部１４ａを、データ転送部１３の周囲に貼着し、その枠部１４ａから延びた目印部１４ｂを、ターミナル外装ケース１１の操作面１１ｂ側に向けて貼着する。
一方、プリンタ２０のプリンタ外装ケース２１の操作面２１ａの角に設けられている受光部２４の近傍に、矢印状の受光側目印シール２５を矢印の先端を受光部２４に向けて貼着する。この場合、枠線２２に沿うようにすることで、見栄え良く貼着することができる。
【００１２】
次いで、図４に示すように、プリンタ２０をプリンタ外装ケース２１の操作面２１ａが上向きとなるようにしてケース３０等に収容し、そのケース３０等を腰に装着する。この状態で、ハンディターミナル１０を一方の手に持ち、他方の手にバーコードが付された商品等を持つことができる。そして、ハンディターミナル１０のターミナル外装ケース１１の操作面１１ｂ側に設けられている複数のキー１２による操作により、ターミナル外装ケース１１の図示しない上面に設けられている読み取り部によって商品等に付されているバーコードを読み取る。読み取られたバーコードデータは、ハンディターミナル１０内の図示しないメモリに格納される。
【００１３】
メモリに格納されたバーコードデータをプリンタ２０側に転送する場合には、平面状のデータ転送部１３を平面状の受光部２４に接近させ、データ転送側目印シール１４の目印部１４ｂを矢印状の受光側目印シール２５の位置に合わせる。このとき、データ転送側目印シール１４の目印部１４ｂと矢印状の受光側目印シール２５とを同じ色とすることで、データ転送部１３と受光部２４との相関性を無意識に把握することができ、目印部１４ｂと受光側目印シール２５との確認による受光部２４に対するデータ転送部１３の位置合わせが容易かつ確実に行われる。このとき、ハンディターミナル１０のターミナル外装ケース１１の操作面１１ｂ側に設けられているいずれかのキー１２を操作することで、バーコードデータがデータ転送部１３から赤外線通信によって転送され、プリンタ２０側の受光部２４によって受光される。この受光された赤外線通信によるバーコードデータは、プリンタ２０内部にて電気信号に変換された後、バーコードラベルの発行や商品情報の管理等の作業に利用される。
【００１４】
このように、本実施の形態では、ターミナル外装ケース１１の下面１１ａに対し面一となるように設けられたハンディターミナル１０のデータ転送部１３の外周縁部にデータ転送側目印シール１４の枠部１４ａを貼着し、データ転送側目印シール１４の目印部１４ｂをターミナル外装ケース１１の操作面１１ｂ側に延びるように貼着し、プリンタ外装ケース２１の操作面２１ａの受光部２４の近傍に、矢印状の受光側目印シール２５の先端を受光部２４側に向けて貼着し、データ転送側目印シール１４の目印部１４ｂを矢印状の受光側目印シール２５の位置に合わせることで、データ転送のためのデータ転送部１３と受光部２４との位置合わせを行うことができ、片手でのデータ転送を安定して行うことができる。
【００１５】
また、データ転送部１３と受光部２４との位置合わせは、平面状のデータ転送部１３を平面状の受光部２４に接近させればよいので、平面状の受光部２４を有した他のプリンタ２０であってもハンディターミナル１０を共有することが可能となる。
また、データ転送部１３と受光部２４との位置合わせのために、既存のハンディターミナル１０のデータ転送部１３と既存のプリンタ２０の受光部２４とにそれぞれデータ転送側目印シール１４と受光側目印シール２５とを貼着すればよく、ターミナル外装ケース１１やプリンタ外装ケース２１に特別な加工を施す必要がないので、装置のコストアップを招くこともない。
また、データ転送側目印シール１４と矢印状の受光側目印シール２５とを同じ色とすることで、データ転送部１３と受光部２４との相関性を無意識に把握することができ、データ転送のための作業を極めて容易に行うことができる。
【００１６】
なお、本実施の形態では、ハンディターミナル１０側のデータ転送部１３の目印としてデータ転送部１３の周囲に貼着される枠部１４ａと、一部がターミナル外装ケース１１の操作面１１ｂ側まで延びた目印部１４ｂとで構成されているデータ転送側目印シール１４を用いた場合について説明したが、この例に限らず、目印部１４ｂのみからなるデータ転送側目印シール１４であってもよい。また、プリンタ２０側の受光部２４の目印として矢印状の受光側目印シール２５を用いた場合について説明したが、この例に限らず、三角等のように、いずれかの頂点によって方向が分かる形状であればよい。
また、本実施の形態では、ハンディターミナル１０側のデータ転送部１３にデータ転送側目印シール１４を貼着し、プリンタ２０側の受光部２４に受光側目印シール２５を貼着した場合について説明したが、この例に限らず、ターミナル外装ケース１１及びプリンタ外装ケース２１のデータ転送側目印シール１４及び受光側目印シール２５が貼着される部分に、プリント印刷や塗装等によって直接、データ転送側目印シール１４及び受光側目印シール２５と同様の目印を付設してもよい。
【００１７】
また、プリンタ２０側の受光部２４の目印として矢印状の受光側目印シール２５を用いた場合について説明したが、この例に限らず、受光側目印シール２５を、所定の電圧が印加されると表示色が変化する液晶フィルムや発光フィルムとしてもよい。この場合、たとえば図５に示すように、受光部２４の両側にマイクロスイッチ２６等の検知手段を設け、データ転送部１３が受光部２４に位置合わせされるとき、ハンディターミナル１０の下面１１ａによってマイクロスイッチ２６がオンされると、印加される所定の電圧により、液晶フィルムや発光フィルムが表示色を変化させるようにする。このように、受光部２４の両側のマイクロスイッチ２６がオンされ、液晶フィルムや発光フィルムの表示色が変化することにより、データ転送部１３と受光部２４との面が平行に保たれたことを確認でき、バーコードデータ等の転送をより安定して行うことができる。
【００１８】
また、ハンディターミナル１０のデータ転送側目印シール１４を、上記同様に、液晶フィルムや発光フィルムとし、併せて上述したマイクロスイッチ２６等の検知手段をデータ転送部１３の両側に設けてもよい。
また、図６に示すように、プリンタ２０側の受光部２４の近傍に各マイクロスイッチ２６がオンされたとき、音を放つスピーカー２７を設けるようにしてもよい。これにより、データ転送部１３と受光部２４との位置合わせを音でも確認することが可能となる。また、そのスピーカー２７は、ハンディターミナル１０側に設けてもよい。
【００１９】
【発明の効果】
以上の如く本発明に係る光学式データ転送装置及び光学式データ転送方法によれば、ハンディターミナルのターミナル外装ケースの下面に対し面一となるように設けられたデータ転送部からターミナル外装ケースの操作面側まで延びるようにデータ転送側目印の目印部を付し、携帯用のプリンタのプリンタ外装ケースの操作面に対し面一となるように設けられた受光部の近傍に、データ転送側目印と同一色からなる受光側目印を付し、ハンディターミナルのバーコードスキャナ機能によって読み取られたデータを赤外線通信によってデータ転送部から受光部に転送する際、データ転送部を受光部に接近させ、データ転送側目印の目印部を受光側目印の位置に合わせることで、データ転送のためのデータ転送部と受光部との位置合わせを行うようにしたので、ハンディターミナルの共有化を犠牲にすることなく、片手でのデータ転送を安定して行うことができ、併せて装置のコストアップを抑制することができる。
【図面の簡単な説明】
【図１】本発明の光学式データ転送装置の一実施の形態を示す斜視図である。
【図２】図１のハンディターミナルをターミナル外装ケースの下面側から見た場合を示す斜視図である。
【図３】図１のプリンタをプリンタ外装ケースの操作面側から見た場合を示す斜視図である。
【図４】図１の光学式データ転送装置の動作を説明するための斜視図である。
【図５】図１のプリンタ側の構成を変えた場合の他の実施の形態を示す図である。
【図６】図１のプリンタ側の構成を変えた場合の他の実施の形態を示す図である。
【符号の説明】
１０  ハンディターミナル
１１  ターミナル外装ケース
１１ａ  下面
１１ｂ  操作面
１３  データ転送部
１４  データ転送側目印シール
１４ａ  枠部
１４ｂ  目印部
２０  プリンタ
２１  プリンタ外装ケース
２１ａ  操作面
２４  受光部
２５  受光側目印シール
２６  マイクロスイッチ
２７  スピーカー
【図１】
2004341807.tif 000003
【図２】
2004341807.tif 000004
【図３】
2004341807.tif 000005
【図４】
2004341807.tif 000006
【図５】
2004341807.tif 000007
【図６】
2004341807.tif 000008